(57)【要約】      （修正有）【課題】高層階の床を始めとする低い床の施工やリフォ−ム等の際に、狭い床下に腕や工具を入れずに高さ調節が行え、さらに調節した高さ位置での固定が行える事で、床の傾きや床鳴りの対策が行える、床パネルや床枠、電気配線等の枠等をフリ−アクセス出来る低床用金属床束を提供する。【解決手段】床パネルや床枠、電気配線等の枠等を貼り付けた状態で、束パイプ4を自由に回転出来る事から、床受部2の高さ調節が容易に行え、さらに束パイプ4の内部にある固定用ネジ6を締める事で同様に設けられた固定金具7が拡張し、束パイプ4の内部を圧迫し床受部2を調節した高さ位置で固定出来る事で、床の傾きや床鳴りの対策を行う事が可能である。【選択図】図１
2009263923.tif 000002
【特許請求の範囲】
【請求項１】
床面に設置する基台部と、前記基台部より立設された束ボルトと、前記束ボルトに螺合する雌ネジを設けた束パイプと、前記束パイプが自由に回転が出来る様に接続した床受部と、前記束パイプ内部の前記束ボルトの上部の端面に設けたネジ穴に固定用ネジで取り付けた円錐形の形状の固定金具とで構成される低床用金属床束。
【請求項２】
床上に設けられた床パネルやパネル枠等の調節孔や切欠部等から工具による床の高さ調節を行える、請求項1に記載の低床用金属床束。
【請求項３】
固定金具は円錐状に作成しており束パイプの内径より小さな外径を有しているが、固定用ネジを締め押え付けると、前記束パイプの内部で大きく広がり、内面に接触して圧迫する事で前記束パイプを固定する事が出来る、請求項1に記載の低床用金属床束。
【発明の詳細な説明】
【技術分野】
【０００１】
本発明は、低い床の施工やリフォ−ム等の際に、床パネルや床枠、電気配線等の枠等の床組みを支持する低床用金属床束を提供する。          
【背景技術】
【０００２】
従来の低床用金属床束は、一部屋に数十本を等間隔に整列して床面に固定して高さ調節を行い、床パネルや床枠等を貼り付けて行く。
【０００３】
従来品は構造状、高さ調節の際はボルト部品等を工具にて側面より回転させ昇降を行っており、さらに装備されたナット等を締め付けることで、調節した高さ位置で床受部を固定する事が出来る機能を持つ。
【発明の開示】
【発明が解決しようとする課題】
【０００４】
しかしこの構造では、低い床組の場合床下が狭く腕や工具が入り辛い状態の為側面からの高さ調節は困難であり、さらに高さ調節後の床受部の固定も側面から工具にて行う為、同様に作業し辛い問題が有る。
【０００５】
調節が不十分な場合、床パネルや床枠等を貼り付けた際に、それぞれの微妙な高さのバラツキが、床の傾きや床鳴り等の原因と成る。
【０００６】
上記の内容から、狭い床下に腕や工具を入れずに高さ調節が行える、低床用金属床束が必要となる。  
【０００７】
【特許文献１】特開２００５−５４５２３号  公報
【０００８】
上記の技術は過去に公開されたものですが、この構造には床受部に相当する部分の高さ調節を行った後その高さ位置での固定が行える機能が無く、この機能が無い場合、振動や床上からの荷重によりネジ部分に遊びや緩みが発生し、微妙な高さのバラツキが新たに生じ、床の傾きや床鳴り等の原因と成る。
【０００９】
本発明は使用の際、床受部上面から工具にて高さ調節が行える機能を持ち、さらに床受部上面から工具にて高さ調節後の床受部の固定も出来る機能を合わせ持つ低床用金属床束である。
【課題を解決するための手段】
【００１０】
本発明は、床パネルやパネル枠等の定位置に設けられた調節孔や切欠部等から工具11.等にて雌ネジを設けた束パイプ4.を回す事で、束ボルト3.が螺合している事から床受部2.は昇降する機能を持つ。
【００１１】
床受部2.の昇降の時、束パイプ4.は床受部2.に固定されておらず独立している為、床パネルやパネル枠等を貼り付けた状態でも床受部2.に干渉されず束パイプ4.は回転が可能であり、結果 床受部2.の高さ調節が行える。
【００１２】
次に床受部2.の高さ調節後の固定機能に対しては、束パイプ4.は内部が空洞に成っており床受部2.の表面からは蓋をしない構造から、床上から工具12.等を差し込む事が出来、束パイプ4.の内部にある固定用ネジ6.を締める事が出来る。
【００１３】
固定用ネジ6.を締めると、共に設けた固定金具7.は固定用ネジ6.と束ボルト3.に押し込まれて広がり、束パイプ4.の内径より固定金具7.の外径が大きく成り、先端が束パイプ4.の内面に接触して圧迫する事で回り止めと成り、床受部2.は高さ調節した位置で固定される。
【００１４】
（００１０）〜（００１３）の構造を踏まえた上で本発明の使用方法は、本発明を等間隔に数十本整列し、基台部1.側を床面10.に固定し、床受部2.の高さ調節を行いそれぞれ同じ高さ寸法に揃えた上に、床パネルやパネル枠等を、調節孔や切欠部等と、床受部2.の中央やガイド2a.等で位置合わせを行い貼り付けて行く。
【００１５】
次に、床パネルやパネル枠等を貼った状態で、床の傾きや床鳴りが発生している問題個所付近の本発明に対し、調節孔や切欠部等に工具11.を挿入、高さの微調節を行い、床の傾きや床鳴りの修正を行う。
【００１６】
最後に修正を行った後で、工具12.にて固定用ネジ6.を締め床受部2.を固定する。
【発明の効果】
【００１７】
（００１４）〜（００１６）の手順から、本発明は床受部2.上面から工具11.にて束パイプ4.を回す事で高さ調節が容易に出来、さらに床受部2.上面から工具12.にて固定用ネジ6.を締める事で、固定金具7.が拡張して、束パイプ4.は固定され、結果床受部2.は高さ調節した位置で固定される事から、施工中側面から腕や工具を入れずに、床パネルやパネル枠等を貼った状態から床受部2.の高さ調節と床受部2.の固定が用意に行える事から、床の傾きや床鳴りの対策を行った床の施工が容易に出来る。
【発明を実施するための最良の形態】
【００１８】
以下本発明の実施の形態を図１〜図11に基づいて説明する。
【００１９】
図１〜図５は確認の為作成した試作品の形状や各部品の構成、図６〜図８は施工時の使用例、図９〜図10は固定金具7.の使用時の外観の変化をそれぞれ図に表したものであり、図11は対比の為一般的な低床用金属床束の構成を断面図で表したものである。
【００２０】
図１は1.を基台部、3.を束ボルト、4.を束パイプ、2.を床受部で低床用金属床束を構成し、使用例として8.は床パネル、9.は接着剤、10.は床面を表している。
【００２１】
基台部1.には作例として束ボルト3.を溶接にて立設している。
【００２２】
基台部1.は中心に、本発明の強度を増す為と束ボルト3.のボルト頭を納める為に絞り加工を行っているが、床面10.等に設置する際、従来品の場合一般的には束金具設置用の接着剤9.で固定される事が多く、余分な接着剤9.や空気が絞り加工部分に入ると、絞り加工内部を圧迫し基台部1.の浮きや傾きが発生する恐れがあり、対策として基台部1.には、余分な接着剤9.や空気を取り除けるように、絞り部分に貫通孔1a.を数ヶ所設けてある。
【００２３】
基台部1.には、設置の際位置決めが容易に成るように、裏表面の中心から十字方向に線状の刻印と端面に三角形の切り欠きから成るガイド1b.が設けてあり、さらに釘等で床面10.等に固定する場合も想定して丸穴1c.を数箇所設けてある。
【００２４】
束ボルト3.には、固定用ネジ6.と固定金具7.を取り付ける為、ネジ側の端面にネジ穴3a.を設けてある。
【００２５】
束パイプ4.の端部に設けた絞り部4a.は、絞り加工を行い束ボルト3.に螺号する雌ネジを設けており、逆の端部には作例として、スリット4b.と爪4c.を数箇所と節4d.を設けてある。
【００２６】
絞り部4a.は絞り加工を行った事で、内径が固定金具7.外径よりも小さく成っており、内部では稼動上限で、固定金具7.が絞り部4a.の内側に接触する事から抜け止めと成り、高さ調節時の束パイプ4.のボルト外れを防止する事が出来る。
【００２７】
スリット4b.と爪4c.は等間隔に数箇所設ける事で本発明を使用の際スリット4b.に工具11.を挿入して束パイプ4.を回す事が出来、床受部2.の高さ調節が容易に行える機能を持つ。
【００２８】
スリット4b.と爪4c.の成形個所は奇数個所でも良いが、工具11.のような簡易な形状のものが使用出来る事から、偶数個所設ける方がより好ましい。
【００２９】
節4d.は本発明を使用した際、床受部2.の上面から掛かる荷重に対して強度を増す為に成形を行っている。
【００３０】
床受部2.には、床パネルやパネル枠等を貼り付ける際に位置決めが容易に行えるように、裏表面の中心から十字方向に線状の刻印と端面に三角形の切り欠きから成るガイド2a.を設けてあり、さらに床パネルやパネル枠等をタッピングネジ等で貼り付けを行う場合を想定して、丸穴2b.を数箇所設けてある。
【００３１】
床受部2.と束パイプ4.との接続方法は、束パイプ4.のスリット4b.側の端部から受金具5.と床受部2.を順番に節4d.に当る所まで挿入し、最後に爪4c.の根元を曲げ加工を行っており、この方法で束パイプ4.が自在に回転出来、さらに外れない構造と成る。
【００３２】
床受部2.と束パイプ4.との接続の際、爪4c.の曲げ位置は床受部2.との間に隙間が開く様に加工しており、これは束パイプ4.がスム−ズに回転が行える事と、床受部2.が多少上下にも稼動できる事から、接着剤9.による基台部1.の浮きや傾き、床面10.自体の微妙な傾きや凹凸にも対応して、床パネル8.を水平に施工出来るようにする目的が有り、隙間の距離は床受部2.の肉厚１枚分以下に抑える事が望ましい。
【００３３】
固定用ネジ6.は束パイプ4.の内径より小さな外径のものを使用し、ネジの寸法は組み立ての時に固定金具7.が外れない程度の長さで、締め付け作業の際に余り時間の掛からない短さのものであれば良いが、固定金具7.の高さ寸法の1.5倍から2.0倍を目安にしたものがより好ましい。
【００３４】
固定金具7.は外径寸法が通常束パイプ4.の内径寸法より小さく、絞り部分4a.の内径より大きく、使用後拡張した際に束パイプ4.の内径寸法より大きく広がるものであれば、皿座金の形状のものでも良いが、円錐状の形状の方が使用中確実に広がり、束パイプ4.の内部を圧迫する事が出来る為、円錐状の形状をした金具を使用する事がより好ましい。
【００３５】
固定金具7.は拡張して床受部2.を固定する事が出来るが、束パイプ4.の内面は凹凸が少なく引っ掛かりが少ない事から、外周に突起状の歯を数個所設けておく方が拡張した時に接触した個所の圧力が増し、より良い効果が得られる。
【００３６】
固定金具7.の取り付けの向きは、狭い面を固定用ネジ6.側、広い部分を束ボルト3.側に取り付ける方が、確実に広がる為より好ましい。
【００３７】
固定金具7.の取り付け方法は、束ボルト3.と束パイプ4.を螺合させた後、束ボルト3.に固定用ネジ6.にて、固定金具7.が潰れず、緩んで外れない程度の力で締めて取り付けると、固定金具7.が変形する恐れが少なくより好ましい。
【００３８】
図６は本発明を使用し施工した際の1例である。
【００３９】
図７は本発明を使用した際の1例であり、床プレ−ト8.を貼り付けた状態で、調整孔8a.から工具11.をスリット4b.に差込、束パイプ4.を回す事で床受部2.の高さ調節を行う作業を図に表したものである。
【００４０】
図８は本発明を使用した際の1例であり、床プレ−ト8.を貼り付けた状態で、調整孔8a.から工具12.を束パイプ4.に差込、固定用ネジ6.を締める事で床受部2.の高さ調節位置での固定を行う作業を図に表したものである。
【００４１】
図９は固定金具7.に上から荷重を加える事で起こる外観の変化を図に表したものであり、左図の使用前の固定金具7.は上から荷重を加える事で外周は広がり、右図の形状と成る。
【００４２】
図10は本発明使用時に図8の作業を行った時に束パイプ4.の内部で固定金具7.が変化している状態を断面図に表したものであり、左図の使用前の状態では、固定金具7.は束パイプ4.の内径より小さい為、束パイプ4.の内面には接触しておらず、右図の使用後の状態では、束パイプ4.の内径より大きく広がり、束パイプ4.の内面に接触し、束パイプ4.の固定を行っている。
【００４３】
以上の構成でこの発明は作られている。
【図面の簡単な説明】
【００４４】
【図１】本発明の実施した際の一形態の断面図。
【図２】本発明の実施した際の一形態の外観図。
【図３】本発明の実施した際の一形態の部品構成図。
【図４】本発明を上面（床受部2．表面）から見た状態の図。
【図５】本発明を下面（基台部1．裏面）から見た状態の図。
【図６】本発明の使用例 1。
【図７】本製品の使用例 2。
【図８】本製品の使用例 3（一部断面、内部構造の表現）。
【図９】固定金具7.の使用前後の外観の変化。
【図１０】本製品内部の固定金具7.の使用前後の状態。
【図１１】従来の一般的な低床用金属床束の構成の断面図。
【符号の説明】
【００４５】
1．      基台部
1a.      貫通孔
1b.      ガイド
1c.      丸穴
2．      床受部
2a.      ガイド
2b.      丸穴
3.       束ボルト
3a.      ネジ穴
4.      束パイプ
4a.      絞り部
4b.      スリット
4c.      爪
4d.      節
5.      受金具
6.      固定用ネジ
7.      固定金具
8.      床パネル
8a.      床パネルの切り欠き（調節孔）
9.      接着剤
10.      床面
11.      工具Ａ
12.      工具Ｂ
【図１】
2009263923.tif 000003
【図２】
2009263923.tif 000004
【図３】
2009263923.tif 000005
【図４】
2009263923.tif 000006
【図５】
2009263923.tif 000007
【図６】
2009263923.tif 000008
【図７】
2009263923.tif 000009
【図８】
2009263923.tif 000010
【図９】
2009263923.tif 000011
【図１０】
2009263923.tif 000012
【図１１】
2009263923.tif 000013